(57)【要約】  読取器（１２）は、（ｉ）一又は複数の量子ドットと、（ｉｉ）該一又は複数の量子ドットの上層に積層された出力端（２２４）と、を有する近接場光デバイス（１２２）と、記録媒体の記録情報の再生時に、該近接場光デバイスにより形成される近接場光に起因する光を受光する受光手段（１２４）と、を備える。当該読取器によれば、熱アシスト磁気記録により記録された情報を、別途磁気回路を設けずに再生することができる。
2013047049.tif 000002
【特許請求の範囲】
【請求項１】
（ｉ）一又は複数の量子ドットと、（ｉｉ）前記一又は複数の量子ドットの上層に積層された出力端と、を有する近接場光デバイスと、
記録媒体の記録情報の再生時に、前記近接場光デバイスにより形成される近接場光に起因する光を受光する受光手段と、
を備えることを特徴とする読取器。
【請求項２】
請求項１に記載の読取器と、
前記受光手段からの出力に基づいて情報を再生する再生手段と、
前記読取器を制御する制御手段と、
を備えることを特徴とする再生装置。
【請求項３】
請求項１に記載の読取器と、
前記受光手段からの出力に基づいて情報を再生する再生手段と、
前記読取器を制御する制御手段と、
を備えることを特徴とする記録再生装置。
【発明の詳細な説明】
【技術分野】
【０００１】
本発明は、例えば、HAMR（熱アシスト磁気記録：Heat Assisted Magnetic Recording）、SNOM（走査型近接場光学顕微鏡：Scanning Near Field Optical Microscope)等の近接場光の微小スポットを利用する読取器、並びに、該読取器を備える再生装置及び記録再生装置の技術分野に関する。
【背景技術】
【０００２】
近接場光を利用した、記録再生技術として、例えば、近接場光を発生させるプローブと、発光素子及び受光素子を、光導波路を介して結合して一体とすることで、ヘッド部を単純な構成とした記録装置（特許文献１参照）が提案されている。【０００３】
また、近年の半導体微細加工技術の進歩により、量子力学的効果を利用し、単一電子を制御することにより電子の粒子性を極限まで利用するナノスケールの量子ドットが注目されている。たとえば、量子ドットのサイズを適切に制御する製造方法（特許文献２参照）、および、積層された量子ドットを利用した近接場集光器が提案されている（特許文献３参照）。
【先行技術文献】
【特許文献】
【０００４】
【特許文献１】特開２００７−３１７２５９号公報
【特許文献２】特開２００９−２３１６０１号公報
【特許文献３】特開２００６−０８０４５９号公報
【発明の概要】
【発明が解決しようとする課題】
【０００５】
しかしながら、上述した特許文献１に記載された記録装置では光導波路を用いているためエネルギーの利用効率が悪いという技術的問題点がある。また、記録媒体に記録された磁気情報を読み取るためには磁気ヘッドを別途用意する必要がある。【０００６】
本発明は、例えば上記問題点に鑑みてなされたものであり、近接場光を用いた読取器、並びに、再生装置及びエネルギーの利用効率が良い記録再生装置を提案することを課題とする。
【課題を解決するための手段】
【０００７】
本発明の読取器は、上記課題を解決するために、（ｉ）一又は複数の量子ドットと、（ｉｉ）前記一又は複数の量子ドットの上層に積層された出力端と、を有する近接場光デバイスと、前記近接場光デバイスにより形成される近接場の状態に応じた近接場光、又は前記近接場光に起因する光を受光する受光手段と、を備える。【０００８】
本発明の再生装置は、上記課題を解決するために、本発明の読取器と、前記受光手段からの出力に基づいて情報を再生する再生手段と、前記読取器を制御する制御手段と、を備える。【０００９】
本発明の記録再生装置は、上記課題を解決するために、本発明の読取器と、前記受光手段からの出力に基づいて情報を再生する再生手段と、前記読取器を制御する制御手段と、を備える。【００１０】
本発明の作用及び他の利得は次に説明する実施するための形態から明らかにされる。
【図面の簡単な説明】
【００１１】
【図１】実施形態に係る記録再生装置の構成を示すブロック図である。
【図２】実施形態に係るヘッドの要部の構造を示す図である。
【図３】実施形態に係る記録再生装置の記録時の動作を説明する図である。
【図４】実施形態に係る記録再生装置の再生時の動作を説明する図である。
【図５】実施形態に係る近接場光デバイスに形成された導光部材の一例を示す図である。
【図６】実施形態に係る近接場光デバイスの第１変形例を示す図である。
【図７】実施形態に係る近接場光デバイスの第２変形例を示す図である。
【図８】実施形態に係るヘッドを用いた磁気記録の一例を説明する図である。
【図９】実施形態に係るヘッドを用いた磁気記録の他の例を説明する図である。
【発明を実施するための形態】
【００１２】
以下、本発明の記録再生装置に係る実施形態を、図面に基づいて説明する。尚、以下の図では、各層や各部材を図面上で認識可能な程度の大きさとするため、各層や各部材ごとに縮尺を異ならしめてある。
【００１３】
（記録再生装置の構成）
本実施形態に係る記録再生装置の構成について、図１を参照して説明する。図１は、本実施形態に係る記録再生装置の構成を示すブロック図である。
【００１４】
図１において、本発明に係る「記録再生装置」及び「再生装置」の一例としての、記録再生装置１００は、ＣＰＵ（Ｃｅｎｔｒａｌ  Ｐｒｏｃｅｓｓｉｎｇ  Ｕｎｉｔ）１１、ヘッド１２、位置調整器１３、出力調整器１４及び１５、信号読取器１６、並びに回転調整器１７を備えて構成されている。
【００１５】
ヘッド１２は、磁界発生器１２１、近接場光デバイス１２２、エネルギー源１２３、及び受光器１２４を備えて構成されている。
【００１６】
ここで、ヘッド１２の要部の具体的な構造について、図２を参照して説明する。図２は、本実施形態に係るヘッドの要部の構造を示す図である。図２では、エネルギー源１２３の一具体例としてＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ：垂直共振器面発行レーザ）を挙げる。
【００１７】
図２において、エネルギー源１２３は、ｎ−ＧａＡｓ（ガリウム砒素）基板３０の上に積層されたｎ−ＤＢＲ（Ｄｉｓｔｒｉｂｕｔｅｄ  Ｂｒａｇｇ  Ｒｅｆｌｅｃｔｏｒ）層と、該ｎ−ＤＢＲ層の上に積層された活性層と、該活性層の上に積層されたｐ−ＤＢＲ層と、該ｐ−ＤＢＲ層上に形成された上部電極４１と、ｎ−ＧａＡｓ基板３０の下面に形成された下部電極４２と、を備えてなるＶＣＳＥＬである。
【００１８】
近接場光デバイス１２２は、例えばＧａＡｓ基板等の基板２１１と、該基板２１１の上に積層され、例えばＩｎＡｓ（インジウム砒素）量子ドット等を含んでなる量子ドット層２２２と、該量子ドット層２２２の上に積層され、例えばＩｎＡｓ量子ドット等を含んでなる量子ドット層２２３と、該量子ドット層２２３の上に積層された金属端２２４と、を備えて構成されている。
【００１９】
金属端２２４は１種類の金属で構成されるのではなく、異なる金属からなる多層構造であってもよい。一例を挙げると、例えば、クロム（Ｃｒ）層の上に金（Ａｕ）層が構成された２層構造、或いはチタニウム（Ｔｉ）層の上に金（Ａｕ）と層が構成された２層構造であってもよい。また、量子ドット層２２３の上に更に金（Ａｕ）からなる２０ｎｍ（ナノメートル）〜１００ｎｍの薄膜を形成し、金（Ａｕ）薄膜上に金（Ａｕ）等からなる金属端２２４を設けるようにしてもよい。金属膜が下層の量子ドット層２２２、２２３から供給されるエネルギーを広範囲に吸収し、該吸収されたエネルギーが金属端２２４に移動されることより、入射エネルギーの利用効率が向上する。
【００２０】
量子ドット層２２２に含まれる量子ドットは、エネルギー源１２３から出射される光を受光し、近接場光を発生させる。量子ドット層２２３に含まれる量子ドットは、量子ドット層２２２において発生された近接場光のエネルギーを受け取り、近接場光を発生させる。尚、量子ドット層２２３に含まれる量子ドットはエネルギー源１２３から出射される光を受光し近接場光を発生することもある。
【００２１】
金属端２２４は、量子ドット層２２３において発生された近接場光のエネルギーの少なくとも一部を外部に出力可能である。多層量子ドット構造にすることにより入射光のエネルギーを単層の量子ドット層よりも多く受光することができ、金属端２２４に集中させる効率が高くなる。例えば、３層よりは５層、８層のほうがより効率を高めることができる。
【００２２】
本発明では、量子ドット層２２２、２２３で入射光のエネルギーを変換し金属端２２４にエネルギーを集中させる。入射光がＩｎＡｓやＧａＡｓを透過し、入射光が直接、金属端２２４に照射される現象とは異なる。金属端２２４の大きさを数十ｎｍ以下（例えば２０ｎｍ以下にすることにより、入射光のエネルギーを量子ドットにより近接場光のエネルギーに変換し、そのエネルギーを数十ｎｍ以下の金属端に集中させるのであり、現行の光ディスクのように対物レンズでレーザ光を収束させることとは物理現象が異なる。
【００２３】
受光器１２４は、近接場光デバイス１２２、若しくは近接場光デバイス１２２及び記録媒体５０により形成される近接場光に起因する光を受光する。詳しくは図３を参照して述べるが（後述）、記録媒体５０に形成される記録マークの有無或いは記録状態（磁気記録媒体であれば磁場の向き）によって近接場光デバイス１２２に生じる近接場光の状態が異なる。これにより、近接場光に起因する光に強弱が生じ、受光器１２４でその強弱を検出することにより記録マークの有無或いは状態の違いを読み取ることができる。
【００２４】
ここで、「近接場光に起因する光」とは、例えば近接場光が何らかの部材により散乱されることによって発生する散乱光等の近接場光ではない光（つまり、ファーフィールドにおける光）を意味する。
【００２５】
尚、磁界発生器１２１には、公知の各種態様を適用可能であるので、説明の煩雑化を回避するために、ここでは説明を割愛する。
【００２６】
また、ヘッド１２上の近接場デバイス１２２、磁界発生器１２１や受光器１２４を保護するため、近接場デバイス１２１が設置される側をＳｉＯ２等の誘電体で覆い、金属端２２４の先端が誘電体の表面に現れるように平坦加工してもよい。誘電体等で覆うことにより記録媒体との接触による衝撃からヘッド１２上に設置された部材を保護することができる。
【００２７】
再び図１に戻り、位置調整器１３は、ヘッド１２と記録媒体５０との位置関係を変更可能に構成されている。出力調整器１４は、磁界発生器１２１により発生される磁界の強さを変更可能に構成されている。出力調整器１５は、エネルギー源１２３の出力（例えば、光の強度やＯＮ／ＯＦＦ）を制御可能に構成されている。
【００２８】
信号読取器１６は、受光器１２４の出力に基づいて再生信号を生成可能に構成されている。回転調整器１７は、記録媒体５０の回転数又は回転速度を調整可能に構成されている。ＣＰＵ１１は、位置調整器１３、出力調整器１４及び１５、並びに回転調整器１７を統括制御する。
【００２９】
本実施形態に係る「ＣＰＵ１１」、「ヘッド１２」、「信号読取器１６」、「近接場光デバイス１２２」、「受光器１２４」及び「金属端２２４」は、夫々、本発明に係る「制御手段」、「読取器」、「再生手段」、「近接場光デバイス」、「受光手段」及び「出力端」の一例である。
【００３０】
（記録動作）
上述の如く構成された記録再生装置１００の記録時の動作について、図３を参照して説明する。図３は、本実施形態に係る記録再生装置の記録時の動作を説明する図である。図３において、点線円は、近接場光を表わしている。
【００３１】
記録媒体５０は、磁気記録媒体であり、近接場光デバイス１２２で生じる近接場光と相互作用を起こしやすい、磁性体等の層構造の一部に、例えば金（Ａｕ）等の金属を含んだ構成としてもよい。
【００３２】
出力調整器１５から出力される信号に応じてエネルギー源１２３がＯＮ状態にされると、該エネルギー源１２３から出射された光（入力エネルギー）により、少なくとも近接場光デバイス１２２に含まれる、量子ドット層２２２、２２３内の複数の量子ドットに近接場光が発生する。量子ドット層２２２の複数の量子ドットで発生した近接場光のエネルギーは、量子ドット層２２３の複数の量子ドットを介し金属端２２４に集中し、金属端２２４に近接場光を発生する。量子ドット層２２３内の複数の量子ドットにエネルギー源１２３から出射された光が当たった場合は量子ドット層２２２内の複数の量子ドット層と同様に、量子ドット層２２３内の複数の量子ドットにより近接場光が発生する。量子ドット層２２３内の量子ドットで発生した近接場光のエネルギーは金属端２２４に集中し、金属端２２４に近接場光を発生する。つまり図３（ａ）に示すように、量子ドット層２２２、２２３内の複数の量子ドットによりエネルギー源から出射された光のエネルギーが金属端２２４に集められる。
【００３３】
金属端２２４と記録媒体５０との間の距離が所定距離（例えば、２０ｎｍ）以上の場合は、金属端２２４と記録媒体５０との間に相互作用が起こらず、図３（ａ）に示すように、金属端２２４に近接場光が発生するだけである。
【００３４】
他方、金属端２２４と記録媒体５０との間の距離が上記所定距離未満の場合は、図３（ｂ）に示すように、金属端２２４と記録媒体５０との間に相互作用が起こり、記録媒体５０側に金属端２２４で発生した近接場光のエネルギーが移動し、記録媒体５０の金属端２２４の近傍領域が発熱する。
【００３５】
この場合、近接場光のエネルギーに起因する発熱により、周囲より温度が高い熱スポットが形成され、その熱スポット内の記録媒体５０の一部の保磁力が低下する。ＣＰＵ１１は、記録すべき情報に対応する磁界を発生させるように、出力調整器１４を介して、磁界発生器１２１（図１参照）を制御することにより記録媒体５０の磁気の向きを変化させ磁気記録を行う。
【００３６】
金属端２２４と記録媒体５０との間の距離が所定距離未満である状態を維持しつつ、記録すべき記録情報に基づいて、ＣＰＵ１１が、出力調整器１５を介してエネルギー源１２３を制御すると共に、出力調整器１４を介して磁界発生器１２１を制御することによって、例えば一定速度で回転している記録媒体５０に記録情報を連続して記録することができる。
【００３７】
また、記録媒体５０は磁気記録を用いる磁気記録媒体だけではなく、相変化を起こす相変化材料、または熱により化学変化を起こす色素などの材料、あるいはエネルギーにより非線形効果を引き起こす様々な材料を用いた記録媒体を用いることが可能である。
【００３８】
（再生動作）
記録再生装置１００の再生時の動作について、図４を参照して説明する。図４は、本実施形態に係る記録再生装置の再生時の動作を説明する図である。図４において、点線円は、近接場光を表わしている。
【００３９】
近接場光デバイス１２２の金属端２２４と記録媒体５０との間の距離が所定距離未満である場合に、出力調整器１５から出力される信号に応じてエネルギー源１２３がＯＮ状態にされると、前述した記録時と同様に、エネルギー源１２３からの入射光のエネルギーは量子ドット層２２２、２２３で近接場光に変換され、金属端２２４へ移動し金属端２２４に近接場光を発生させる。
【００４０】
図４（ａ）は金属端２２４と記録媒体５０との間の距離が所定距離未満となるように維持した状態で、金属端２２４の近傍に記録マークが存在しないときを示しており、図４（ｂ）は金属端２２４の近傍に記録マークが存在するときを示している。
【００４１】
記録マークが存在しないときは（図４（ａ）、金属端２２４で発生している近接場光は記録マークの影響を受けない。記録マークが存在するときは（図４（ｂ））、金属端２２４で発生している近接場光は記録マークの影響を受けた近接場光となる。つまり、記録マークの有無により、金属端２２４に発生する近接場光が変化するのである。また、記録マークの有無により変化した金属端２２４に発生した近接場光は量子ドット層２２２、２２３に含まれる量子ドットに相互作用による伝搬する。
【００４２】
受光器１２４は、金属端２２４或いは量子ドット層２２２、２２３の量子ドットに生じた、記録マークの有無により変化する近接場光に起因する光を受光し、受光された光に対応する信号を出力する。信号読取器１６は、受光器１２４から出力される信号に基づいて再生信号を生成する。
【００４３】
ここで、本願発明者の研究によれば、近接場光に起因する光の状態（例えば、偏光、強度等）も変化するため、近接場光又は該近接場光に起因する光を受光すれば、例えば記録マーク５２の有無等を検出することができ、もって、記録媒体５０に記録されている情報を読み取ることができることが判明している。
【００４４】
尚、近接場光デバイス１２２には、図５に示すように、近接場光を受光器１２４に導くための導光部材２２５が形成されている。図５（ａ）は、本実施形態に係る導光部材２２５として量子ドット層２２２内に形成された導光部材の一例を示す図である。
【００４５】
導光部材２２５は、図５（ｂ）及び（ｃ）に示すように、複数の微小な量子ドットの集合として構成されていてもよい。或いは、図５（ｄ）に示すように、矩形の島状突起部として構成されていてもよい。また導光部材２２５は量子ドット層２２２内に設けるだけでなく、量子ドット層２２３内に設けるようにしてもよいし、金属端２２４の近傍に設けるようにし、各部で発生する近接場光の変化を検出するようにすることも可能である。
【００４６】
尚、エネルギー源１２３の出力を、再生時は記録時より小さくし、再生時に記録マークを書き換えないようなエネルギー量に制御するようにしてもよい。また、記録時或いは再生時に、エネルギー源１２３の出力は常時ＯＮとして照射し続けてもよいし、所定のデューティ―比のパルスとしてもよい。
【００４７】
＜第１変形例＞
次に、近接場光デバイス１２２の第１変形例について、図６を参照して説明する。図６は、本実施形態に係る近接場光デバイスの第１変形例を示す図である。
【００４８】
図６において、近接場光デバイス１２２は、メサ構造体の中に分散配置された複数の量子ドットと、該メサ構造体の上に積層された金属端２２４と、を備えて構成されている。メサ構造体は、下層から上層の方向に向かって徐々に狭くなっている構成であり、量子ドットの数も下層から上層に向かって少なくなっていくように構成される。
【００４９】
図６に示すように構成された近接場光デバイス１２２に生じる近接場光に起因する光を受光するには、例えば、図６（ａ）に示すように、受光器１２４を近接場光デバイス１２２の極近傍に配置すればよい、或いは、図６（ｂ）に示すように、ニードル等の部材により近接場光を散乱光に変換すればよい、或いは、図６（ｃ）に示すように、導光器を用いて、受光器１２４の極近傍まで近接場光を導けばよい。
【００５０】
＜第２変形例＞
次に、近接場光デバイス１２２の第２変形例について、図７を参照して説明する。図７は、本実施形態に係る近接場光デバイスの第２変形例を示す図である。尚、図中の波線矢印は、エネルギーの伝搬を表わしている。
【００５１】
図７において、近接場光デバイス１２２は、基板２１１と、該基板２１１の上に積層され、例えばＩｎＡｓ量子ドットを複数含んでなるナノファウンテン層２２６と、該ナノファウンテン層２２６の上に積層された量子ドット層２２２と、該量子ドット層２２２の上に積層された量子ドット層２２３と、該量子ドット層２２３の上に積層された金属端２２４と、を備えて構成されている。
【００５２】
ナノファウンテン層２２６では、図７（ｂ）に示すように、中央付近に配置された比較的大きな量子ドットを、その周囲から囲むように複数の比較的小さな量子ドットが配置されている。尚、図７（ｂ）は、ナノファウンテン層２２６を、基板２１１上で平面的に見た平面図である。
【００５３】
このように構成すれば、基板２１１の下面（図７の紙面左側）から入力されるエネルギー（即ち、入力光）を受けた比較的小さな量子ドットにおいて発生する近接場光のエネルギーの少なくとも一部が、中央付近に配置された比較的大きな量子ドットに集められる。このため、近接場光デバイス１２２に入力されるエネルギーを効率良く金属端２２４に伝えることができ、実用上非常に有利である。
【００５４】
＜磁気記録＞
次に、ヘッド１２を用いた磁気記録について、図８及び図９を参照して説明する。図８は、本実施形態に係るヘッドを用いた磁気記録の一例を説明する図である。図９は、本実施形態に係るヘッドを用いた磁気記録の他の例を説明する図である。ここでは、記録媒体５０として、軟磁性層５１の上に記録磁性層５２が積層された磁気記録媒体を挙げる。尚、図８及び図９において、点線は磁力線を示している。また、エネルギー源の図示は省略している。
【００５５】
磁気記録の構成の代表例を、図８に示す。磁気発生器１２１で発生した磁界は、磁気回路（ここでは、磁気導波部材１２５）によって近接場光デバイス１２２の下まで運ばれ、近接場光デバイス１２２を通して収束される。収束された磁界は、磁気記録媒体５０の記録磁性層５２、軟磁性層５１を通り、磁気発生器１２１に戻る事によって、閉じた磁気回路が構成される。
【００５６】
磁気記録媒体５０への記録信号の書き込みは、入力信号（図示せず）によって、磁気発生器１２１及び／又は近接場光デバイス１２２の磁界方向の変調で行う。また、変調だけでなく、入力信号に基づいて磁界のＯＮ／ＯＦＦを行うことによって書き込みを行うことも可能である。磁界の変調とＯＮ／ＯＦＦとを組み合わせることにより記録を行ってもよい。
【００５７】
また、記録時に磁界が磁気記録媒体５０に収束するとともに、入力信号に応じて近接場光デバイス１２２にレーザ光を入射し、近接場光デバイス１２２と磁気記録媒体５０の一部の領域（磁束が集中する領域に相当）とが一体となり発生する近接場光によりエネルギーを磁束が集中する領域に与えるようにしてもよい。近接場光によりエネルギーを与えられた領域の磁気記録層５２の保持力が下がり、磁気記録を容易に行うことが可能となる。
【００５８】
磁気記録媒体５０に記録された記録信号の読み出しは、近接場光デバイス１２２の周囲に発生する近接場光の強度を受光器１２４でモニターするか、記録状態に応じた磁気記録層５２の磁場の変調によって磁気発生器１２１に生ずる電流の変化等で検知する。（図８、図９は近接場光の強度を受光器１２４でモニターする構成例を示している）。もちろん、近接場光の強度を受光器１２４でモニターする手法と磁気記録層５２の磁場の変調によって磁気発生器１２１に生ずる電流の変化の双方を検知し、記録信号の復号の精度をあげるようにしてもよい。
【００５９】
図９は、近接場光デバイス１２２の先端微粒子（即ち、金属端２２４）を、ニッケル、鉄、コバルト等の磁性体で構成した様子を示す。先端微粒子に金を用いた場合に比べて、磁場の集中が起こる。先端微粒子は容易に磁化されるように、真空装置等の中で作製する時、磁場を一方向にかけると有効である。
【００６０】
近接場光デバイス１２２の先端微粒子に、磁気記録媒体５０の微小領域へのエネルギー伝搬効果だけでなく、磁気記録媒体５０の微小領域への磁気エネルギー収束効果も併せ持たせた。これによって、従来必要とされていた、ＴＭＧやＧＭＲを用いた再生用磁気ヘッドを不要にすると共に、非常に高密度な磁気記録媒体５０の書き込み読み出しを、１デバイス（近接場光デバイス１２２）で行える。
【００６１】
尚、記録再生装置１００は、近接場光デバイス１２２に加えて、磁界読取器、及び該磁界読取器の出力信号を読み取る信号読取器を備えていてもよい。
【００６２】
本発明は、上述した実施形態に限られるものではなく、請求の範囲及び明細書全体から読み取れる発明の要旨或いは思想に反しない範囲で適宜変更可能であり、そのような変更を伴う近接場光デバイス及び記録装置もまた本発明の技術的範囲に含まれるものである。
【符号の説明】
【００６３】
１１…ＣＰＵ、１２…ヘッド、１３…位置調整器、１４、１５…出力調整器、１６…信号読取器、１７…回転調整器、５０…記録媒体、１００…記録再生装置、１２１…磁界発生器、１２２…近接場光デバイス、１２３…エネルギー源、１２４…受光器、２２２、２２３…量子ドット層、２２４…金属端
【図１】
2013047049.tif 000003
【図２】
2013047049.tif 000004
【図３】
2013047049.tif 000005
【図４】
2013047049.tif 000006
【図５】
2013047049.tif 000007
【図６】
2013047049.tif 000008
【図７】
2013047049.tif 000009
【図８】
2013047049.tif 000010
【図９】
2013047049.tif 000011
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
複数の量子ドットと、前記複数の量子ドットの上層に積層された出力端と、を有する近接場光デバイスと、
前記近接場光デバイスの前記複数の量子ドットにエネルギーを供給するエネルギー源と、
記録媒体の記録情報の再生時に、駆動された前記エネルギー源によりエネルギーを供給された前記近接場光デバイスにより形成される近接場光に起因する光を受光する受光手段と、
を備えることを特徴とする読取器。
【請求項２】
請求項１に記載の読取器と、
前記受光手段からの出力に基づいて情報を再生する再生手段と、
前記読取器を制御する制御手段と、
を備えることを特徴とする再生装置。
【請求項３】
請求項１に記載の読取器と、
前記受光手段からの出力に基づいて情報を再生する再生手段と、
前記読取器を制御する制御手段と、
を備えることを特徴とする記録再生装置。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
（ｉ）複数の量子ドットと、前記複数の量子ドットの上層に積層された出力端と、を有する近接場光デバイスと、（ｉｉ）前記近接場光デバイスの前記複数の量子ドットにエネルギーを供給するエネルギー源と、（ｉｉｉ）前記近接場光デバイス内の前記複数の量子ドットに生じた近接場光に起因する光を受光する受光手段と、を有するヘッドと、
前記ヘッドを制御する制御手段と、
を備え、
前記ヘッドと空間を隔てて対向配置される記録媒体への記録時に、前記制御手段は前記複数の量子ドットにエネルギーを供給するように前記エネルギー源を制御して、前記供給されたエネルギーが前記複数の量子ドットにより近接場光に変換され、前記変換された近接場光が前記出力端に集中することにより、前記記録媒体の前記出力端と対向する領域を少なくとも発熱させ、
前記記録媒体の再生時に、前記制御手段は前記複数の量子ドットにエネルギーを供給するように前記エネルギー源を制御して、前記供給されたエネルギーが前記複数の量子ドットにより近接場光に変換され、前記変換された近接場光が前記出力端に伝播することにより前記出力端に近接場光を発生させ、
前記再生時に、前記出力端及び前記複数の量子ドットに発生する近接場光は、前記記録媒体の前記出力端と対向する領域の記録状態により変化する
ことを特徴とする記録再生装置。
【請求項２】
前記制御手段は、前記再生時に前記エネルギー源から出力されるエネルギーが、前記記録時に比べて小さくなるように前記エネルギー源を制御することを特徴とする請求項１に記載の記録再生装置。
【請求項３】
前記近接場光デバイスは、前記複数の量子ドットに発生した近接場光を前記受光手段に導く、複数の量子ドットの集合として構成された導光部材を更に有することを特徴とする請求項１又は２に記載の記録再生装置。
【手続補正３】
【補正対象書類名】明細書
【補正対象項目名】０００６
【補正方法】変更
【補正の内容】
【０００６】
本発明は、例えば上記問題点に鑑みてなされたものであり、近接場光を用い、エネルギーの利用効率が良い記録再生装置を提案することを課題とする。
【手続補正４】
【補正対象書類名】明細書
【補正対象項目名】０００７
【補正方法】変更
【補正の内容】
【０００７】
本発明の記録再生装置は、上記課題を解決するために、（ｉ）複数の量子ドットと、前記複数の量子ドットの上層に積層された出力端と、を有する近接場光デバイスと、（ｉｉ）前記近接場光デバイスの前記複数の量子ドットにエネルギーを供給するエネルギー源と、（ｉｉｉ）前記近接場光デバイス内の前記複数の量子ドットに生じた近接場光に起因する光を受光する受光手段と、を有するヘッドと、前記ヘッドを制御する制御手段と、を備え、前記ヘッドと空間を隔てて対向配置される記録媒体への記録時に、前記制御手段は前記複数の量子ドットにエネルギーを供給するように前記エネルギー源を制御して、前記供給されたエネルギーが前記複数の量子ドットにより近接場光に変換され、前記変換された近接場光が前記出力端に集中することにより、前記記録媒体の前記出力端と対向する領域を少なくとも発熱させ、前記記録媒体の再生時に、前記制御手段は前記複数の量子ドットにエネルギーを供給するように前記エネルギー源を制御して、前記供給されたエネルギーが前記複数の量子ドットにより近接場光に変換され、前記変換された近接場光が前記出力端に伝播することにより前記出力端に近接場光を発生させ、前記再生時に、前記出力端及び前記複数の量子ドットに発生する近接場光は、前記記録媒体の前記出力端と対向する領域の記録状態により変化する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【国際調査報告】
2013047049.tif 000012
2013047049.tif 000013
2013047049.tif 000014
2013047049.tif 000015